(57)【要約】【課題】消臭機能を有する繊維構造体の消臭効果を簡易的に確認する方法であって、事前準備に要する手間や時間を短縮、簡略化することができる消臭効果確認方法を提供する。【解決手段】以下の工程（Ａ）〜（Ｃ）を順に有する消臭効果確認方法。（Ａ）臭気確認用試薬を繊維構造体に付着させる工程（Ｂ）臭気形成成分を前記繊維構造体に接触させる工程（Ｃ）臭気確認用試薬が付着した繊維構造体に、臭気形成成分が接触する前後で、繊維構造体に付着している臭気確認用試薬の色の変化により、視覚的に消臭効果を確認する工程【選択図】なし【特許請求の範囲】
【請求項１】
繊維構造体が有する消臭効果を確認する消臭効果確認方法であって、
以下の工程（Ａ）〜（Ｃ）を順に有する消臭効果確認方法。
（Ａ）臭気確認用試薬を繊維構造体に付着させる工程
（Ｂ）臭気形成成分を前記繊維構造体に接触させる工程
（Ｃ）臭気確認用試薬が付着した繊維構造体に、臭気形成成分が接触する前後で、繊維構造体に付着している臭気確認用試薬の色の変化により、視覚的に消臭効果を確認する工程
【請求項２】
臭気確認用試薬がｐＨ指示薬である請求項１に記載の消臭効果確認方法。
【請求項３】
臭気確認用試薬が無色である請求項１または２に記載の消臭効果確認方法。
【請求項４】
臭気形成成分が無色である請求項１〜３のいずれか一項に記載の消臭効果確認方法。
【請求項５】
臭気形成成分が溶媒に溶解された希釈溶液である請求項１〜４のいずれか一項に記載の消臭効果確認方法。
【請求項６】
工程（Ｂ）の臭気形成成分を前記繊維構造体に接触させる工程が、臭気形成成分を前記繊維構造体に噴霧或いは滴下する請求項１〜５のいずれか一項に記載の消臭効果確認方法。
【請求項７】
工程（Ａ）の臭気確認用試薬を前記繊維構造体に付着させる工程が、臭気確認用試薬を前記繊維構造体に塗布または噴霧する請求項の１〜６いずれか一項に記載の消臭効果確認方法。
【請求項８】
工程（Ａ）の臭気確認用試薬を付着させる工程の後、前記繊維構造体に付着した臭気確認用試薬に含まれる水分が乾燥した後に、工程（Ｂ）の臭気形成成分を接触させる請求項１〜７のいずれか一項に記載の消臭効果確認方法。
【請求項９】
臭気形成成分がアンモニアである請求項１〜８のいずれか一項に記載の消臭効果確認方法。
【発明の詳細な説明】
【技術分野】
【０００１】
本発明は、消臭機能を有する繊維構造体の消臭効果を簡易的に確認できる消臭効果確認方法に関する。
【背景技術】
【０００２】
近年、消臭機能を付与した繊維製品が数多く市場に出ている。これらの消臭効果を確認する方法として、一般的には検知管やガスクロマトグラフを用いた機器分析による評価、あるいは試験者の嗅覚による官能評価が行われる。
【０００３】
機器分析による評価では臭気物質を定量するための機器が必要であり、試薬の調製から測定、結果数値の分析などを含めると簡便な消臭効果確認方法とは言えない。
【０００４】
官能評価による方法は試験者の技量によるバラツキが発生しやすく、主観的判断が入ることにより客観的な判定がしにくい。また使用する臭気成分に溶媒としてアルコールを含む場合は、熟練者でないと正確な判定をしにくい。
【０００５】
簡易的に消臭効果を確認する方法として、特許文献１ではｐＨ指示薬と臭気形成物質を含有する臭気確認用試薬を繊維構造体に吹き付けて、視覚的に消臭効果を確認する方法が開示されている。
【０００６】
また特許文献２では悪臭成分に消臭剤を接触させ、接触前後の色の変化によって消臭効果を確認する方法が開示されている。
【０００７】
上記いずれの方法も事前に臭気確認用試薬を調製する必要がある。臭気確認用試薬は臭気形成物質とｐＨ指示薬を規定の割合で配合した試薬であり、その調製には臭気形成物質、ｐＨ指示薬、およびそれらの溶媒を計量、希釈、混合する必要がある。また経時的な臭気形成物質濃度の低下や、色の変化などが発生するため長期保存に適していない。このため臭気確認用試薬を定期的に調製し直す必要がある。
【先行技術文献】
【特許文献】
【０００８】
【特許文献１】特開２０１０−１１２８４１号公報
【特許文献２】特開２０１２−１１２８８０号公報
【発明の概要】
【発明が解決しようとする課題】
【０００９】
消臭機能を有する繊維構造体の消臭効果を簡易的に確認する方法であって、事前準備に要する手間や時間を短縮、簡略化することができる消臭効果確認方法の提供にある。
【課題を解決するための手段】
【００１０】
［１］繊維構造体が有する消臭効果を確認する消臭効果確認方法であって、以下の工程（Ａ）〜（Ｃ）を順に有する消臭効果確認方法。
（Ａ）臭気確認用試薬を繊維構造体に付着させる工程
（Ｂ）臭気形成成分を前記繊維構造体に接触させる工程
（Ｃ）臭気確認用試薬が付着した繊維構造体に、臭気形成成分が接触する前後で、繊維構造体に付着している臭気確認用試薬の色の変化により、視覚的に消臭効果を確認する工程
［２］臭気確認用試薬がｐＨ指示薬である前記［１］に記載の消臭効果確認方法。
［３］臭気確認用試薬が無色である前記［１］または［２］に記載の消臭効果確認方法。
［４］臭気形成成分が無色である前記［１］〜［３］のいずれかに記載の消臭効果確認方法。
［５］臭気形成成分が溶媒に溶解された希釈液である前記［１］〜［４］のいずれかに記載の消臭効果確認方法。
［６］工程（Ｂ）の臭気形成成分を前記繊維構造体に接触させる工程が、臭気形成成分を前記繊維構造体に噴霧または滴下する前記［１］〜［５］のいずれかに記載の消臭効果確認方法。
［７］工程（Ａ）の臭気確認用試薬を前記繊維構造体に付着させる工程が、臭気確認用試薬を前記繊維構造体に塗布または噴霧する前記［１］〜［６］のいずれかに記載の消臭効果確認方法。
［８］工程（Ａ）の臭気確認用試薬を付着させる工程の後、前記繊維構造体に付着した臭気確認用試薬に含まれる水分が乾燥した後に、工程（Ｂ）の臭気形成成分を接触させる前記［１］〜［７］のいずれかに記載の消臭効果確認方法。
［９］前記臭気形成成分がアンモニアである前記［１］〜［８］のいずれかに記載の消臭効果確認方法。
【発明の効果】
【００１１】
本発明によると、消臭機能を有する繊維構造体の消臭効果を、臭気確認用試薬の色の変化により簡易的に確認することができ、臭気確認用試薬を事前に繊維構造体に付着させておくことができるため、消臭効果確認時は、臭気形成成分の調製だけで良く、デモンストレーションを手軽に行いやすい。
【発明を実施するための形態】
【００１２】
以下、本発明について詳細に説明する。
【００１３】
本発明の消臭効果確認方法は、以下の工程（Ａ）〜（Ｃ）を順に有するものである。
（Ａ）臭気確認用試薬を繊維構造体に付着させる工程
（Ｂ）臭気形成成分を前記繊維構造体に接触させる工程
（Ｃ）臭気確認用試薬が付着した繊維構造体に、臭気形成成分が接触する前後で、繊維構造体に付着している臭気確認用試薬の色の変化により、視覚的に消臭効果を確認する工程
【００１４】
工程（Ａ）の後に、工程（Ｂ）を行うことで、臭気確認用試薬の色の変化が明確に確認できる効果を奏することができる。
【００１５】
［繊維構造体］
本発明の繊維構造体は糸、綿状物、織編地、不織布など繊維で構成されているものであればどのような形態でも良い。繊維構造体を構成する繊維は綿、羊毛、絹、麻などの天然繊維、レーヨン、アセテート、ポリエステル、ナイロン、アクリルなどの化学繊維などがあげられる。これらの繊維を混紡、混繊、合糸、合撚、交編、交織したものでも良い。
【００１６】
消臭効果の確認を臭気確認用試薬の色の変化により行うことから、繊維構造体の形態はシート状であることが好ましい。
【００１７】
あらかじめ臭気確認用試薬を繊維構造体に付着させること、その後臭気形成成分を接触させることから、繊維構造体には撥水処理などが施されていない、水分との馴染みが良いものが適している。
【００１８】
また臭気確認用試薬の色の変化により、目視的に消臭効果を確認する観点から、繊維構造体の色は白が好ましい。
【００１９】
［臭気確認用試薬］
本発明の消臭効果確認方法に用いられる臭気確認用試薬は、ｐＨ指示薬であることが好ましい。
臭気確認用試薬がｐＨ指示薬であることで、色の変化による臭気成分の有無が確認しやすくなる。
【００２０】
上記ｐＨ指示薬としては中性域に変色域を持つものが好ましく、例えばブロモチモールブルー、フェノールレッド、ナフトールフタレイン、クレゾールレッド、クレゾールフタレイン、チモールブルー、フェノールフタレイン、チモールフタレインがあげられ、これらの中でもフェノールフタレインが最も好ましい。
【００２１】
臭気確認用試薬におけるｐＨ指示薬の含有量は１０ｍｇ／Ｌ〜１００ｍｇ／Ｌであり、色の変化により消臭効果を容易に確認できることから５０ｍｇ／Ｌ〜７０ｍｇ／Ｌの範囲が好ましい。
【００２２】
臭気確認用試薬として使用するｐＨ指示薬は市販のｐＨ指示薬を使用し、上記含有量となるように水あるいはアルコールを溶媒として希釈、調製すればよい。
【００２３】
本発明の消臭効果確認方法に用いられる臭気確認用試薬は、予め繊維構造体に付着させておくため、繊維構造体の着色を防ぐ観点から無色の臭気確認用試薬であることが好ましい。
【００２４】
［臭気形成成分］
本発明の消臭効果確認方法に用いられる臭気形成成分は、臭気形成成分を繊維構造体に接触させる前後の色の変化、すなわちｐＨ指示薬と臭気形成成分との反応による色の変化により消臭効果を確認することから、臭気形成成分による着色がない、無色の臭気形成成分であることが好ましい。
【００２５】
本発明の消臭効果確認方法は、臭気形成成分が溶媒に溶解された希釈液を用いることがより好ましい。
【００２６】
本発明の臭気形成成分は、消臭効果を確認する対象物質であり、例えばアンモニア、酢酸、ノネナール、イソ吉草酸、硫化水素等があげられる。これらの中ではアンモニアが取扱い性の良さと臭気の有無を嗅覚により判定しやすいことから最も好ましい。
【００２７】
臭気形成成分は市販の試薬を水またはアルコールで希釈し所定濃度に調製して使用する。
臭気形成成分の濃度は０．０１質量％〜０．５質量％の範囲であり、色の変化による効果の確認と、臭気の有無を確認できることから０．０２質量％〜０．２質量％の範囲が好ましい。
【００２８】
［消臭効果確認方法］
本発明の消臭効果確認方法は、工程（Ａ）の臭気確認用試薬を繊維構造体に塗布または噴霧することにより、前記臭気確認用試薬を前記繊維構造体に付着させることが好ましい。
臭気確認用試薬を前記繊維構造体に刷毛等により均一に塗布するか、またはスプレーを用いて噴霧することで、均一な付着状態を得やすい。
【００２９】
本発明の消臭効果確認方法は、工程（Ｂ）の臭気形成成分を前記繊維構造体に噴霧または滴下することにより、前記臭気形成成分を前記繊維構造体に接触させることが好ましい。
臭気形成成分を前記繊維構造体にスプレーを用いて噴霧するか、スポイトを用いて滴下することで、臭気確認用成分を前記繊維構造体上の臭気確認用試薬付着部分に確実に接触させることができる。
【００３０】
本発明の消臭効果確認方法は前記繊維構造体に臭気確認用試薬を付着させておき、その上に臭気形成成分を接触させ、臭気形成成分が接触する前後の臭気確認用試薬の色の変化により視覚的に消臭効果の有無を確認する。
【００３１】
予め臭気確認用試薬を前記繊維構造体に付着させておくことで、臭気形成成分を接触させた際に一旦着色を示し、その後前記繊維構造体に付着する臭気の分解・吸着・中和等の作用により消臭され、臭気確認用試薬が無色に変化することで視覚的に消臭効果を確認することができる。
【００３２】
本発明では臭気確認用試薬を前記繊維構造体に付着させた後、直ぐに臭気形成成分を接触させてもよいが、予め臭気確認用試薬を付着させた前記繊維構造体を必要数量準備しておき、消臭効果を確認する都度臭気形成成分を接触させることも可能である。
【００３３】
予め臭気確認用試薬を前記繊維構造体に付着させておくことで、例えば展示会場等で消臭効果のデモンストレーションを行う際に、臭気形成成分のみを準備するだけでよい。
【実施例】
【００３４】
（臭気確認用試薬の調製）
フェノールフタレイン試薬（和光純薬工業株式会社製：０．１ｗ／ｖ％フェノールフタレイン・エタノール（９０）溶液）を表１に示す割合で水を用いて希釈した。
尚、フェノールフタレイン試薬は、試薬ビンラベルに記載の通り、フェノールフタレイン１．０ｇをエタノール（９５）９０ｍｌに溶かし、水で１００ｍｌに調整されている。
【００３５】
（臭気形成成分の調製）
アンモニア水（和光純薬工業株式会社製：２８％アンモニア水）を表２に示す割合で水を用いて希釈した。
【００３６】
（実施例１）
＜生地（Ａ）＞
汗臭、加齢臭に対する消臭機能のある消臭繊維（三菱ケミカル株式会社製、キュートリー）からなる綿番手４０番の紡績糸を使用し、スムース組織の丸編み生地（Ａ）を得た。繊維構造体として前記丸編み生地（Ａ）を用い、臭気確認用試薬としてフェノールフタレインが５０ｍｇ／Ｌの溶液（試薬Ｉ）を生地（Ａ）に噴霧し、前記噴霧から５秒後に臭気形成成分としてアンモニア濃度が０．０２８質量％の水溶液（成分Ｉ）を噴霧し、試薬Ｉの色の変化を確認した。
試薬Ｉの色は無色のままであり、臭気形成成分が消滅していることが分かった。また、アンモニア臭も確認できなかった。
測定条件とその結果を表３に示す。
＜生地（Ｂ）＞
レギュラーアクリル繊維（三菱ケミカル株式会社製、ティミアン）からなる綿番手４０番の紡績糸を使用し、スムース組織の丸編み生地（Ｂ）を得た。繊維構造体として前記丸編み生地（Ｂ）を使用した以外は、生地（Ａ）と同様にして試薬Ｉの色の変化を確認した。
試薬Ｉの色はピンク色に変化したままであり、臭気形成成分が生地（Ｂ）に付着して残っていることが分かった。また、アンモニア臭が確認できた。
測定条件とその結果を表３に示す。
【００３７】
（実施例２）
＜生地（Ａ）＞
臭気確認用試薬としてフェノールフタレインが７０ｍｇ／Ｌの溶液（試薬ＩＩ）を、臭気形成成分としてアンモニア濃度が０．０７５質量％の水溶液（成分ＩＩ）を使用した以外は実施例１と同様にして試薬ＩＩの色の変化を確認した。
試薬ＩＩの色は、成分ＩＩを噴霧した直後はピンク色になったが、直ぐに無色に変化し、臭気形成成分が消滅したことが分かった。また、アンモニア臭も確認できなかった。
測定条件とその結果を表３に示す。
＜生地（Ｂ）＞
丸編み生地（Ｂ）を使用した以外は、生地（Ａ）と同様にして試薬ＩＩの色の変化を確認した。
試薬ＩＩの色はピンク色に変化したままであり、臭気形成成分が生地（Ｂ）に付着して残っていることが分かった。また、アンモニア臭が確認できた。
測定条件とその結果を表３に示す。
【００３８】
（実施例３）
＜生地（Ａ）＞
臭気確認用試薬としてフェノールフタレインが６８ｍｇ／Ｌの溶液（試薬ＩＩＩ）を、臭気形成成分としてアンモニア濃度が０．１６８質量％の水溶液（成分ＩＩＩ）を使用し、試薬ＩＩＩの噴霧から３０秒後に成分ＩＩＩを噴霧した以外は実施例１と同様にして試薬ＩＩＩの色の変化を確認した。
試薬ＩＩＩの色は、成分ＩＩＩを噴霧した直後はピンク色になったが、直ぐに無色に変化し、臭気形成成分が消滅したことが分かった。また、アンモニア臭も確認できなかった。
測定条件とその結果を表３に示す。
＜生地（Ｂ）＞
丸編み生地（Ｂ）を使用した以外は、生地（Ａ）と同様にして試薬ＩＩＩの色の変化を確認した。
試薬ＩＩＩの色はピンク色に変化したままであり、臭気形成成分が生地（Ｂ）に付着して残っていることが分かった。また、アンモニア臭が確認できた。
測定条件とその結果を表３に示す。
【００３９】
（実施例４）
＜生地（Ａ）＞
繊維構造体として汗臭、加齢臭に消臭機能のある丸編み生地（Ａ）を用い、臭気確認用試薬としてフェノールフタレインが６８ｍｇ／Ｌの溶液（試薬ＩＩＩ）を生地（Ａ）に刷毛を用いて塗布し、前記塗布から３０秒後に臭気形成成分としてアンモニア濃度が０．０７５質量％の水溶液（成分ＩＩ）をスポイトを用いて生地（Ａ）に滴下し、試薬ＩＩＩの色の変化を確認した。
試薬ＩＩＩの色は、成分ＩＩを噴霧した直後はピンク色になったが、直ぐに無色に変化し、臭気形成成分が消滅したことが分かった。また、アンモニア臭も確認できなかった。
測定条件とその結果を表３に示す。
＜生地（Ｂ）＞
丸編み生地（Ｂ）を使用した以外は、生地（Ａ）と同様にして試薬ＩＩＩの色の変化を確認した。
試薬ＩＩＩの色はピンク色に変化したままであり、臭気形成成分が生地（Ｂ）に付着して残っていることが分かった。また、アンモニア臭が確認できた。
測定条件とその結果を表３に示す。
【００４０】
（実施例５）
＜生地（Ａ）＞
試薬ＩＩＩの塗布から１５日後に臭気形成成分としてアンモニア濃度が０．０７５質量％の水溶液（成分ＩＩ）を噴霧した対外は実施例４と同様にして、試薬ＩＩＩの色の変化を確認した。
試薬ＩＩＩの色は、成分ＩＩを噴霧した直後はピンク色になったが、直ぐに無色に変化し、臭気形成成分が消滅したことが分かった。また、アンモニア臭も確認できなかった。
測定条件とその結果を表３に示す。
＜生地（Ｂ）＞
丸編み生地（Ｂ）を使用した以外は、生地（Ａ）と同様にして試薬ＩＩＩの色の変化を確認した。
試薬ＩＩＩの色はピンク色に変化したままであり、臭気形成成分が生地（Ｂ）に付着して残っていることが分かった。また、アンモニア臭が確認できた。
測定条件とその結果を表３に示す。
【００４１】
【表１】
2019158764.tif 000002
【００４２】
【表２】
2019158764.tif 000003
【００４３】
【表３】
2019158764.tif 000004
【００４４】
表３からわかるように、生地の消臭効果の有無を視覚的に確認できた。
【産業上の利用可能性】
【００４５】
本発明によれば、消臭機能を有する繊維構造体の消臭効果を簡易的に確認できる消臭効果確認方法を提供できる。